(57)【特許請求の範囲】
【請求項１】
電気ケーブルの端部同士を接続した接続部を防水絶縁する防水絶縁ラバーの製造方法であって、
平板上に剥離紙を敷き、
この剥離紙の上に矩形状に枠体を取り付け、
この枠体で囲まれた剥離紙上に融解した自己融着材の溶液を流し込んで、矩形シートを形成し、
前記矩形シートが硬化した後、枠板を取り除き、
この枠板を取り除いた矩形シート上に別の剥離紙を敷き、この剥離紙と前記平板上に敷いた剥離紙との間に矩形シートを挟み、
この矩形シートを挟んで上下に設けられた２枚の剥離紙の周縁部を圧着しつつ、剥離紙内部を真空状態にする
ことを特徴とする防水絶縁ラバーの製造方法。
【請求項２】
前記自己融着材は、ブチルゴムまたはエチレンープロピレンージエンゴムであることを特徴とする請求項１記載の防水絶縁ラバーの製造方法。
【発明の詳細な説明】
【技術分野】
【０００１】
本発明は、電気ケーブルの端部同士を接続した接続部を防水絶縁する防水絶縁ラバー、該防水絶縁ラバーの製造方法および該防水絶縁ラバーを使用した防水絶縁処理方法に関する。
【背景技術】
【０００２】
電気ケーブルの端部同士を接続した接続部は、この接続部から内部に雨水などが入ることによる内部の導線の腐食を防止したり、当該導体の絶縁性を確保するために、絶縁テープなどを接続部の外周に何重にも重ね巻きし、接続部の防水絶縁が確実になるように保護している。なお、このような電気ケーブルの端部同士の接続は、通常、電気ケーブルの各端部に一対のコネクタをそれぞれ接続してから、次に、これら一対のコネクタ同士を接続して行われ、このコネクタ同士を接続した接続部の上に絶縁テープを何重にも重ね巻きして保護している。
【０００３】
また、このような接続部は、接続部内に空隙があると電気ケーブルの通電時における電気特性の劣化や浸水のおそれが生じるので、接続部内に空隙が生じないように慎重に行う必要がある。
【０００４】
なお、電気ケーブルの接続部の保護は、例えば図１４（ａ）、（ｂ）に示すように、鉄塔上や電柱上などの高所に設けた箱体に同軸ケーブルで接続し、さらに絶縁テープを何重にも重ね巻きしたり、あるいは、これら鉄塔や電柱の中間部において端部同士を接続したコネクタ部に絶縁テープを何重にも重ね巻きして行うような高所作業となることが多い。
【先行技術文献】
【特許文献】
【０００５】
【特許文献１】特開２０００−９２６８４号公報
【特許文献２】特開２００８−１７５６９号公報
【発明の概要】
【発明が解決しようとする課題】
【０００６】
上述したように、電気ケーブルの接続部に絶縁テープなどを何重にも重ね巻きして保護する従来の方法は、時間がかかり、非効率的であるとともに、鉄塔や電柱上などのような高所での作業となり作業性が悪く、不安定な場所では更に時間がかかるため、簡単で効率的で短時間で行う方法が要望されている。
【０００７】
本発明は、上記に鑑みてなされたもので、その目的とするところは、電気ケーブルの接続部の防水絶縁処理を短時間で効率的に行い得る防水絶縁ラバーの製造方法を提供することにある。
【課題を解決するための手段】
【００１２】
上記課題を達成するため、請求項１記載の防水絶縁ラバーの製造方法は、電気ケーブルの端部同士を接続した接続部を防水絶縁する防水絶縁ラバーの製造方法であって、平板上に剥離紙を敷き、この剥離紙の上に矩形状に枠体を取り付け、この枠体で囲まれた剥離紙上に融解した自己融着材の溶液を流し込んで、矩形シートを形成し、前記矩形シートが硬化した後、枠板を取り除き、この枠板を取り除いた矩形シート上に別の剥離紙を敷き、この剥離紙と前記平板上に敷いた剥離紙との間に矩形シートを挟み、この矩形シートを挟んで上下に設けられた２枚の剥離紙の周縁部を圧着しつつ、剥離紙内部を真空状態にすることを要旨とする。
【００１３】
請求項１記載の防水絶縁ラバーの製造方法では、枠体で囲まれた剥離紙上に自己融着材の溶液を流し込んで矩形シートを形成し、矩形シートの硬化後、枠板を取り除いた矩形シート上に別の剥離紙を敷き、２枚の剥離紙で矩形シートを挟み、２枚の剥離紙の周縁部を圧着しつつ、剥離紙内部を真空状態にするため、比較的簡単に矩形シート状の防水絶縁ラバーを製造できるとともに、防水絶縁ラバーは剥離紙で包まれて真空状態にあるため、自己融着材の融着性が損なわれることがない。
【００１４】
請求項２記載の防水絶縁ラバーは、前記自己融着材が、ブチルゴムまたはエチレンープロピレンージエンゴムであることを要旨とする。
【００１５】
請求項２記載の防水絶縁ラバーは、自己融着材として、ブチルゴムまたはエチレンープロピレンージエンゴムを使用しているため、接続部に巻き付けた防水絶縁ラバーの端部同士を重ねて押圧するだけで、防水絶縁ラバーの端部同士は互いに融着し、効率的である。
【発明の効果】
【００２２】
更に、本発明によれば、防水絶縁ラバーの製造方法では、枠体で囲まれた剥離紙上に自己融着材の溶液を流し込んで矩形シートを形成し、矩形シートの硬化後、枠板を取り除いた矩形シート上に別の剥離紙を敷き、２枚の剥離紙で矩形シートを挟み、２枚の剥離紙の周縁部を圧着しつつ、剥離紙内部を真空状態にするので、比較的簡単に矩形シート状の防水絶縁ラバーを製造できるとともに、防水絶縁ラバーは剥離紙で包まれて真空状態にあるため、自己融着材の融着性が損なわれることがない。
【図面の簡単な説明】
【００２４】
【図１】電気ケーブルの接続部を本発明の一実施形態に係わる防水絶縁ラバーで防水絶縁した状態を示す平面図である。
【図２】図１における線Ａ−Ａに沿った断面図である。
【図３】電気ケーブルの端部のコネクタを接続した状態及びコネクタの凹凸部に巻くための細長いテープ状の防水絶縁ラバーを示す平面図である。
【図４】電気ケーブルの接続部に防水絶縁ラバーを巻き付け処理した状態を示す平面図である。
【図５】電気ケーブルの接続部に防水絶縁ラバーを巻き付け処理した後にコネクタ全体を覆うように防水絶縁ラバーを巻き付け処理する状態を示す平面図である。
【図６】コネクタ全体を覆うように防水絶縁ラバーを巻き付け処理する状態を示す平面図である。
【図７】図１に示す防水絶縁ラバーを製造する最初の工程を示す図である。
【図８】図７に示した製造工程の次の工程で容器から自己融着ゴムの溶液を流し込む処理を示す斜視図である。
【図９】図８に示したように自己融着ゴムの溶液を流し込んで形成された防水絶縁ラバーの途中の製造工程を示す参考図である。
【図１０】図９のように形成された防水絶縁ラバーにおいて枠体を除去した状態を示す図である。
【図１１】図１０のように形成された防水絶縁ラバーの上に剥離紙を被せた状態を示す図である。
【図１２】図１１のように剥離紙を被せて形成された防水絶縁ラバーの周縁部をフードシーラで圧着しつつ、剥離紙の内部を真空状態にする処理を示す図である。
【図１３】（ａ）大判の防水絶縁ラバーの梱包状態を示す平面図である。
【００２５】
（ｂ）小判の防水絶縁ラバーの梱包状態を示す平面図である。
【図１４】防水絶縁処理された電気ケーブルの接続部が実際に設けられている状態を示す図である。
【発明を実施するための形態】
【００２６】
以下、図面を用いて、本発明を実施するための形態(以下、実施形態と称する)を説明する。
【００２７】
図１は、２本の電気ケーブルの端部同士を接続した接続部を本発明の一実施形態に係わる防水絶縁ラバーで防水絶縁した状態で示す平面図である。図２は、図１における線Ａ−Ａに沿った断面図である。
【００２８】
図１に示す２本の電気ケーブル１ａ、１ｂ（以下、区別する必要があるとこには、適宜、電気ケーブル１ａ側の部材にはａを、電気ケーブル１ｂ側の部材にはｂを付与する）の接続部３は、例えば図３に示すような２本の同軸ケーブルのそれぞれの端部に１対のコネクタ５ａ、５ｂをそれぞれ接続してから、このコネクタ５ａ、５ｂ同士を更に接続して構成されるとともに、更にこのコネクタ５ａ、５ｂ同士を接続した接続部の上に図５に示すような１枚の矩形シートの防水絶縁ラバー７を巻き付けて防水絶縁処理して紡錘形に成型したものである。
【００２９】
電気ケーブル１ａ、１ｂの接続部３は、図２に断面図で示すように、中心部に電気ケーブル１ａ、１ｂの内部導体９ａ、９ｂ、外部導体１３ａ、１３ｂをそれぞれ有し、この内部導体９ａ、９ｂと外部導体１３ａ、１３ｂとの間には絶縁体（ポリエチレン、テフロン（登録商標）等の誘電体）からなるスリーブ１１ａ、１１ｂを介在させて構成される。
【００３０】
そして、このように構成される電気ケーブル１ａ、１ｂの端部に図３に示すような金属製のコネクタ５ａ、５ｂを接続し、この一対のコネクタ５ａ、５ｂ同士を更に接続して、１つの接続部３として１本にまとめられるものである。
【００３１】
そして、このように電気ケーブル１ａ、１ｂの端部に接続されたコネクタ５ａ、５ｂ同士を接続した接続部の上に図２に示すような矩形シートの防水絶縁ラバー７を図２の断面図で示すように巻き付けるとともに、この巻き付けた防水絶縁ラバー７の端部を重ね合わせてから、この端部を手等で押圧し、防水絶縁ラバー７の端部同士を圧着させ、ほぼ断面円形となるように成形しているものである。
【００３２】
以下、図３乃至５を参照して、処理手順について説明する。まず、図３は、電気ケーブルの端部のコネクタを接続した状態及びコネクタの凹凸部に巻くために予め大きさを調整した細長いテープ状の防水絶縁ラバー７ａ、７ｂ、７ｃを示す。この細長いテープ状の防水絶縁ラバー７ａ、７ｂ、７ｃは、最初からこの大きさで形成するようにしてもよく、あるいは図１３（ｂ）で示す細長いテープ状の防水絶縁ラバー７を裁断するようにしても良い。
【００３３】
図４は、電気ケーブルの接続部に図３で示す防水絶縁ラバー７ａ、７ｂ、７ｃをそれぞれ巻き付け、成形処理した状態を示す。これにより空隙部分の形成をさらに防止することが可能となる。
【００３４】
図５は、上述したように電気ケーブル１ａ、１ｂの端部のコネクタ５ａ、５ｂ同士を接続し、防水絶縁ラバー７ａ、７ｂ、７ｃを巻き付けた上に、さらに接続部の上に大判の防水絶縁ラバー７ｄを巻き付けたるときの開始状態を示す図である。
【００３５】
この防水絶縁ラバー７の巻き付けにおいては、例えば防水絶縁ラバー７の一辺を電気ケーブル１ａ、１ｂの接続部３の長手方向に沿って設定し、この防水絶縁ラバー７の一辺を接続部３の長手方向に対して手などで固定した状態で、防水絶縁ラバー７の他辺の側を接続部に巻き付け、この巻き付けた防水絶縁ラバー７の他辺の側の端部を防水絶縁ラバー７の一辺上に重ね合わせてから、防水絶縁ラバー７の他辺の側の端部を防水絶縁ラバー７の一辺に押圧して圧着している。
【００３６】
なお、図５においては、電気ケーブル１ａ、１ｂの端部のコネクタ５ａ、５ｂ同士を接続して１つの接続部として１本にまとめられるものにおいて、この接続されたコネクタ５ａ、５ｂに凹凸部や隙間が存在するので、この凹凸部に図３に示す、幅の狭い、例えば幅が２０ｍｍ程度の狭いテープ状の別の防水絶縁ラバーを巻き付けて、接続部３の周囲をなめらかにする。このように幅の狭い防水絶縁ラバーを接続部のコネクタ５ａ、５ｂ上に巻き付けた防水絶縁ラバー７ａ、７ｂ、７ｃが図４、図５及び図６に示されているものである。
【００３７】
すなわち、図４は、このような幅の狭い防水絶縁ラバーである充填用防水絶縁ラバーを接続部３に充填するように巻き付けた状態を示す。図５は、充填用防水絶縁ラバー７ａ、７ｂ、７ｃは３箇所巻き付けられ、中央の充填用防水絶縁ラバー７ａは幅が少し広く、その両側の充填用防水絶縁ラバー７ｂ、７ｃは幅が狭いものとなっている。このように、接続部３のコネクタ５ａ、５ｂに存在する凹凸部や隙間に対して充填用防水絶縁ラバー７ａ、７ｂ、７ｃを埋め込むように巻き付けて、これらの凹凸部や隙間を埋めることにより、これらの凹凸部や隙間における放電などを防止し、電気特性の劣化を防止することができる。
【００３８】
なお、前記防水絶縁ラバー７は、その矩形の大きさがコネクタ５ａ、５ｂの大きさによる接続部３の大きさによって種々存在するが、例えば縦×横×厚さが１４０×９０×４ｍｍ、１４０×１２０×４ｍｍなどであり、接続部３の全体を覆うように接続部３に完全に巻く付けられ、巻き始めと巻き終わりの端部同士が例えば１５ｍｍ程度重なって、この重なった部分を押着できればよいものである。
【００３９】
また、防水絶縁ラバー７は、自己融着材であるブチルゴムで構成されるが、最適には、エチレンープロピレンージエンゴム（ＥＰＤＭ)で構成されるものである。このエチレンープロピレンージエンゴムからなる防水絶縁ラバー７は、耐候性、耐熱性、防水性、絶縁性などに優れていて、当該防水絶縁ラバー７同士を重ね合わせて押圧すると、この重ね合わせた部分が完全に融着するようになっている。
【００４０】
次に、図７乃至図１３を参照して、前記防水絶縁ラバー７の製造方法について説明する。
【００４１】
まず、図７に示すように、平板２１を設け、この平板２１上に剥離紙２３を敷く。それから、この剥離紙２３の上に防水絶縁ラバー７の外形に対応する矩形状の枠体２５を取り付ける。
【００４２】
次に、図８に示すように、前記矩形状の枠体２５の中に防水絶縁ラバー７を構成する例えばエチレンープロピレンージエンゴム（ＥＰＤＭ)からなる自己融着材の溶液２９を容器２７から流し込んで、矩形の枠体２５の全体に薄く均等に伸ばし、その厚さが防水絶縁ラバー７の所望の厚さである例えば４ｍｍになるような矩形シートを形成する（図９は、このように溶液２７を流し込んで均等に伸ばされた状態を示している）。
【００４３】
それから、枠体２５内に流し込んだ自己融着材が流動性が無くなる程度に硬化した後、枠体２５を取り除くと、図１０に示すように、枠体２５を取り除いた剥離紙２３上に矩形シート状の防水絶縁ラバー７が生成される。次に、この生成された剥離紙２３上の矩形シート状の防水絶縁ラバー７の上に更に別の剥離紙３７を図１１に示すように被せ、この別の剥離紙３７と下側の剥離紙２３との間に矩形シート状の防水絶縁ラバー７を挟む。
【００４４】
次に、図１２に示すように、フードシーラ３１を用いて、矩形シート状の防水絶縁ラバー７を挟んで上下に設けられた２枚の剥離紙２３、３７の全周縁部を圧着しつつ、剥離紙２３と３７の内部を真空状態にし、いわゆる真空パックにする。
【００４５】
すなわち、剥離紙２３、３７により、防水絶縁ラバー７の作業時の取扱が容易になり、真空パックにより、防水絶縁ラバー７の自己融着機能を恒久的に保持することができるようになる。なお、剥離紙２３、３７は、真空パック材との接着を防ぐ意味もある。
【００４６】
図１３は、このように剥離紙２３、３７で真空状態に維持され、その周縁部が圧着されて形成され完成した防水絶縁ラバー７を示す平面図である。なお、エチレンープロピレンージエンゴム（ＥＰＤＭ)で構成される矩形シート状の防水絶縁ラバー７は、エチレンープロピレンージエンゴム（ＥＰＤＭ)による圧着性及び融着性などの性能を維持するために上述したように２枚の剥離紙２３、３７、及びこれら剥離紙２３、３７の間に真空状態に維持されて取り扱われ、電気ケーブル１ａ、１ｂの接続部３の防水絶縁保護に使用される。
【００４７】
次に、上述したように製造される矩形シート状の防水絶縁ラバー７を用いて、図１乃至図６で示したように、電気ケーブル１ａ、１ｂの接続部３を防水絶縁処理する手順について説明する。なお、この防水絶縁処理は、例えば図１４に示すように、鉄塔や電柱上などの高所で行うことが多いものである。
【００４８】
まず、図４に示すように、電気ケーブル１ａ、１ｂのそれぞれの端部に接続されているコネクタ５ａ、５ｂを互いに接続し、図５に示すように一体化する。次に、このようにコネクタ５ａ、５ｂを接続して構成される接続部３の凹凸を無くすために、図６に示すように、真空パックから取り出し、剥離紙を剥がした幅の狭い防水絶縁ラバーである充填用防水絶縁ラバー１３ａ、１３ｂ、１３ｃを接続部３の凹凸上に充填するように巻き付け、接続部３の凹凸をなくして表面をなめらかにする。
【００４９】
接続部３の凹凸が無くなると、次に、図１３に示すように真空パックから、剥離紙２３、３７の間に真空状態で維持された防水絶縁ラバー７を取り出し、剥離紙２３、３７を剥がし、この取り出した矩形シート状の防水絶縁ラバー７の一辺を電気ケーブル１ａ、１ｂの接続部３の長手方向に沿って設定し、この防水絶縁ラバー７の一辺を接続部３の長手方向に対して手などで固定した状態で、図３に示すように、防水絶縁ラバー７の他辺の側を接続部に巻き付け、この巻き付けた防水絶縁ラバー７の他辺の側の端部を防水絶縁ラバー７の一辺上に重ね合わせてから、防水絶縁ラバー７の他辺の側の端部を防水絶縁ラバー７の一辺に押圧して圧着する。以上のようにして、電気ケーブル１ａ、１ｂの接続部３は、図１に示すように、防水絶縁ラバー７により防水絶縁処理される。
【００５０】
このように電気ケーブル１ａ、１ｂの接続部３を防水絶縁ラバー７により防水絶縁処理することにより、接続部３から内部に雨水などが入ることが防止され、電気ケーブル１ａ、１ｂの導体９ａ、９ｂの腐食を防止することができるとともに、導体９ａ、９ｂの絶縁性を確保することができる。
【００５１】
更に、上述した本実施形態では、防水絶縁ラバー７を電気ケーブル１ａ、１ｂの接続部の周囲に一回巻く付けるだけであって、従来のように絶縁テープなどを接続部３の外周に何重にも重ね巻きする必要がないため、極めて短時間で接続部３の防水絶縁処理を効率的に行うことができる。特に、鉄塔や電柱上などの高所などの不安定な場所での防水絶縁処理も短時間で効率的に行うことができることは極めて有効である。
【００５２】
以上、実施形態を挙げて本発明の実施の形態を説明したが、前記実施形態は一例であり、特許請求の範囲に記載される発明の範囲は、発明の要旨を逸脱しない範囲内で種々変更できるものである。
【符号の説明】
【００５３】
1ａ、１ｂ  電気ケーブル
3  接続部
５ａ、５ｂ  コネクタ
７  防水絶縁ラバー
９ａ、９ｂ  導体
１１ａ、１１ｂ  スリーブ
１３  充填用防水絶縁ラバー
２１  平板
２３、３７  剥離紙
２５  枠体
２７  容器
２９  溶液
３１  フードシーラ
【図１】
0005914928.tif 000002
【図２】
0005914928.tif 000003
【図３】
0005914928.tif 000004
【図４】
0005914928.tif 000005
【図５】
0005914928.tif 000006
【図６】
0005914928.tif 000007
【図７】
0005914928.tif 000008
【図８】
0005914928.tif 000009
【図９】
0005914928.tif 000010
【図１０】
0005914928.tif 000011
【図１１】
0005914928.tif 000012
【図１２】
0005914928.tif 000013
【図１３】
0005914928.tif 000014
【図１４】
0005914928.tif 000015